(57)【要約】【課題】            再生装置の特定化を、スクランブル方式よりも効果的且つ完全に行い得る情報記録装置、関数記録装置並びに情報再生装置を提供する。【解決手段】        光ディスクＤＫの製造部門では、ディスク識別コードに基づきスクランブル関数を生成し、それにより記録信号を暗号化し、識別コードとともに光ディスクＤＫに記録し、逆スクランブル関数を識別コードとともにレンタル店のメモリ装置１１に送信する。ＩＣカード発行機Ｓ2では、光ディスクＤＫからディスク識別コードを読取るとともに、メモリ装置１１から逆スクランブル関数を読み出し、需要者の入力する再生装置特定コードに基づいて変形逆スクランブル関数を生成し、ＩＣカードＣに記録する。ＩＣカードＣと光ディスクＤＫを持ち帰った需要者は、再生機で、再生装置特定コードとＩＣカードＣから読み出した変形逆スクランブル関数より逆スクランブル関数を生成し、暗号化記録信号を解読する。【選択図】          図１
2005237030.tif 000002
【特許請求の範囲】
【請求項１】
予め設定した記録媒体を識別するための識別コードに対応させて、若しくは、前記識別コードに基づいて、前記記録媒体に記録すべき記録情報に対応する記録信号を暗号化するための暗号化関数を生成する暗号化関数生成工程と、生成された前記暗号化関数を用いて前記記録信号を暗号化し、暗号化記録信号を生成する暗号化工程と、前記暗号化記録信号とともに対応する前記識別コードを前記記録媒体に記録する記録工程と、前記暗号化関数に基づいて、前記暗号化記録信号を解読するための解読関数を生成する解読関数生成工程と、前記解読関数及び対応する前記識別コードを一組として外部に伝達する伝達工程と、を備えたことを特徴とする情報記録方法。
【請求項２】
暗号化関数により第１記録媒体に記録すべき記録情報に対応する記録信号を暗号化した暗号化記録信号を解読するための外部から入力された解読関数及び前記記録情報の再生を許可すべき再生装置を特定するための外部から入力された再生装置特定コードに基づき、変形解読関数を生成する変形解読関数生成工程と、前記変形解読関数を外部の第２記録媒体に記録する変形解読関数記録工程と、を備えたことを特徴とする関数記録方法。
【請求項３】
暗号化関数により記録媒体に記録すべき記録情報に対応する記録信号を暗号化した暗号化記録信号を解読するための外部から入力された解読関数及び前記記録情報の再生を許可すべき再生装置を特定するための外部から入力された再生装置特定コードに基づき、変形解読関数を生成する変形解読関数生成工程と、前記変形解読関数を前記記録媒体に記録する変形解読関数記録工程と、を備えたことを特徴とする関数記録方法。
【請求項４】
暗号化関数により記録情報に対応する記録信号を暗号化した暗号化記録信号が予め記録された第１記録媒体から当該暗号化記録信号を検出する検出工程と、前記暗号化記録信号を解読するための解読関数と前記記録情報の再生を許可すべき再生装置を特定するための再生装置特定コードとを用いて生成された変形解読関数が予め記録された第２記録媒体から当該変形解読関数を読み出し、当該変形解読関数及び予め記憶された前記再生装置特定コードに基づき、前記解読関数を生成する解読関数生成工程と、前記解読関数を用いて検出された前記暗号化記録信号を解読し、前記記録信号を出力する解読工程と、を備えたことを特徴とする情報再生方法。
【請求項５】
暗号化関数により記録情報に対応する記録信号を暗号化した暗号化記録信号が予め記録された記録媒体から当該暗号化記録信号を検出する検出工程と、前記暗号化記録信号を解読するための解読関数と前記記録情報の再生を許可すべき再生装置を特定するための再生装置特定コードとを用いて生成された変形解読関数が予め記録された前記記録媒体から当該変形解読関数を読み出し、当該変形解読関数及び予め記憶された前記再生装置特定コードに基づき、前記解読関数を生成する解読関数生成工程と、前記解読関数を用いて検出された前記暗号化記録信号を解読し、前記記録信号を出力する解読工程と、を備えたことを特徴とする情報再生方法。
【請求項６】
予め設定した記録媒体を識別するための識別コードに対応させて、若しくは、前記識別コードに基づいて、前記記録媒体に記録すべき記録情報に対応する記録信号を暗号化するための暗号化関数を生成する暗号化関数生成手段と、前記暗号化関数を用いて前記記録信号を暗号化し、暗号化記録信号を出力する暗号化手段と、前記暗号化記録信号とともに対応する前記識別コードを前記記録媒体に記録する記録手段と、前記暗号化関数に基づいて、前記暗号化記録信号を解読するための解読関数を生成する解読関数生成手段と、前記解読関数及び前記識別コードを外部に伝達する伝達手段と、を備えたことを特徴とする情報記録装置。
【請求項７】
記録媒体を識別するための識別コードが予め記録された前記記録媒体から前記識別コードを検出する検出手段と、暗号化関数により前記記録媒体に記録すべき記録情報に対応する記録信号を暗号化した暗号化記録信号を解読するための外部から入力された解読関数並びに外部から入力された前記識別コードを記憶する記憶手段と、検出された前記識別コードに基づき前記記憶手段から読み出された前記解読関数及び外部から入力された前記記録情報の再生を許可すべき再生装置を特定するための再生装置特定コードに基づき、変形解読関数を生成する変形解読関数生成手段と、前記変形解読関数を外部の記録装置に記録する変形解読関数記録手段と、を備えたことを特徴とする関数記録装置。
【請求項８】
記録媒体を識別するための識別コードが予め記録された前記記録媒体から前記識別コードを検出する検出手段と、暗号化関数により前記記録媒体に記録すべき記録情報に対応する記録信号を暗号化した暗号化記録信号を解読するための外部から入力された解読関数並びに外部から入力された前記識別コードを記憶する記憶手段と、検出された前記識別コードに基づき前記記憶手段から読み出された前記解読関数及び外部から入力された前記記録情報の再生を許可すべき再生装置を特定するための再生装置特定コードに基づき、変形解読関数を生成する変形解読関数生成手段と、前記変形解読関数を前記記録媒体に記録する変形解読関数記録手段と、を備えたことを特徴とする関数記録装置。
【請求項９】
暗号化関数により記録情報に対応する記録信号を暗号化した暗号化記録信号が予め記録された記録媒体から当該暗号化記録信号を検出する検出手段と、前記暗号化記録信号を解読するための解読関数と前記記録情報の再生を許可すべき再生装置を特定するための再生装置特定コードとを用いて生成された変形解読関数が予め記録された記録装置から当該変形解読関数を読み出し、当該変形解読関数及び予め記憶された前記再生装置特定コードに基づき、前記解読関数を生成する解読関数生成手段と、前記解読関数を用いて検出された前記暗号化記録信号を解読し、前記記録信号を出力する解読手段と、を備えたことを特徴とする情報再生装置。
【請求項１０】
暗号化関数により記録情報に対応する記録信号を暗号化した暗号化記録信号が予め記録された記録媒体から当該暗号化記録信号を検出する検出手段と、前記暗号化記録信号を解読するための解読関数と前記記録情報の再生を許可すべき再生装置を特定するための再生装置特定コードとを用いて生成された変形解読関数が予め記録された前記記録媒体から当該変形解読関数を読み出し、当該変形解読関数及び予め記憶された前記再生装置特定コードに基づき、前記解読関数を生成する解読関数生成手段と、前記解読関数を用いて検出された前記暗号化記録信号を解読し、前記記録信号を出力する解読手段と、を備えたことを特徴とする情報再生装置。
【発明の詳細な説明】
【技術分野】
【０００１】
本発明は、光ディスク等に記録された音楽等の記録情報を再生すべきプレーヤ等の再生装置を他の再生装置と区別して特定化し、限定するための情報記録方法及び装置、関数記録方法及び装置並びに情報再生方法及び装置に関する。
【背景技術】
【０００２】
従来、記録情報を再生すべき再生装置を特定化する方法として、スクランブル方式と呼ばれる方法が一般的に知られている。
【０００３】
このスクランブル方式は、ディジタル化された記録信号を光ディスク等に記録する際に、当該記録信号を構成するビット列の反転／非反転をでたらめに行って（スクランブル化して）記録する方式である。このとき、スクランブル化する際には一定のでたらめの規則に沿ってスクランブル化される。
【０００４】
そして、スクランブル化された記録信号を再生する際には、スクランブル解除回路を介して再生することにより、記録信号のスクランブルが解除され記録信号が正常に再生されるのである。この場合、スクランブル解除回路を備えない再生装置でスクランブル化された記録信号を再生すると、記録信号が映像信号の場合には見るに堪えない映像となり、記録信号が音声信号の場合には、雑音しか聞こえないこととなる。
【０００５】
上述のスクランブル方式によれば、スクランブル解除回路を有する再生装置によってのみ記録信号の再生が可能となるので、記録信号を再生すべき再生装置の特定化が可能となる。
【発明の開示】
【発明が解決しようとする課題】
【０００６】
しかしながら、従来のスクランブル方式によると、スクランブル解除回路さえあればどの再生装置でも正常な再生が可能となる。すなわち、例えば、スクランブル解除回路を備えたスクランブル解除装置を、通常の（スクランブル解除回路を有しない）再生装置に接続すれば、どの再生装置でも再生することが可能となり、記録信号が再生されるべき再生装置の特定化が効果的にできない場合があるという問題点があった。
【０００７】
そこで、本発明は、上記の問題点に鑑みて成されたもので、その目的は、記録信号が再生されるべき再生装置の特定化を、従来のスクランブル方式よりもより効果的且つ完全に行い得る情報記録方法及び装置、関数記録方法及び装置並びに情報再生方法及び装置を提供することにある。
【課題を解決するための手段】
【０００８】
上記の問題点を解決するために、請求項１に記載の発明は、予め設定した光ディスク等の記録媒体を識別するための識別コードに対応させて、若しくは、前記識別コードに基づいて、前記記録媒体に記録すべき記録情報に対応する記録信号を暗号化するための暗号化関数を生成する暗号化関数生成工程と、生成された前記暗号化関数を用いて前記記録信号を暗号化し、暗号化記録信号を生成する暗号化工程と、前記暗号化記録信号とともに対応する前記識別コードを前記記録媒体に記録する記録工程と、前記暗号化関数に基づいて、前記暗号化記録信号を解読するための解読関数を生成する解読関数生成工程と、前記解読関数及び対応する前記識別コードを一組として外部に伝達する伝達工程と、を備えて構成される。
【０００９】
請求項１に記載の発明の作用によれば、暗号化関数生成工程において、識別コードに対応させて、若しくは、識別コードに基づいて暗号化関数を生成する。そして、暗号化工程において、生成された暗号化関数を用いて記録信号を暗号化し、暗号化記録信号を生成する。
【００１０】
その後、記録工程において、暗号化記録信号とともに対応する識別コードを記録媒体に記録する。これらと並行して、解読関数生成工程において、暗号化関数に基づいて、解読関数を生成する。
【００１１】
そして、伝達工程において、解読関数及び対応する識別コードを外部に伝達する。よって、解読関数及び対応する識別コードの被伝達側において、識別コードに対応する解読関数を取得し、当該解読関数と再生装置を特定する再生装置特定コードに基づいて生成された変形解読関数を他の記録媒体に記録し、当該再生装置特定コードが予め記憶された特定の再生装置によってのみ当該他の記憶媒体に記憶された変形解読関数から解読関数を生成することができるようにすることにより、上記特定の再生装置によってのみ解読関数を用いて暗号化記録信号を解読し、記録情報を再生させることができる。
【００１２】
上記の問題点を解決するために、請求項２に記載の発明は、暗号化関数により光ディスク等の第１記録媒体に記録すべき記録情報に対応する記録信号を暗号化した暗号化記録信号を解読するための外部から入力された解読関数及び前記記録情報の再生を許可すべき再生装置を特定するための外部から入力された再生装置特定コードに基づき、変形解読関数を生成する変形解読関数生成工程と、前記変形解読関数をＩＣ（Integrated Circuit）カード等の外部の第２記録媒体に記録する変形解読関数記録工程と、を備えて構成される。
【００１３】
請求項２に記載の発明の作用によれば、変形解読関数生成工程において、外部から入力された解読関数及び再生装置特定コードに基づき、変形解読関数を生成する。
【００１４】
そして、変形解読関数記録工程において、変形解読関数を外部の第２記録媒体に記録する。よって、第２記録媒体を用いて、再生装置特定コードが予め記憶された特定の再生装置によってのみ当該第２記録媒体に記録された変形解読関数から解読関数を生成することができるようにすることにより、特定の再生装置によってのみ解関数を用いて暗号化記録信号を解読し、記録情報を再生させることができる。
【００１５】
上記の問題点を解決するために、請求項３に記載の発明は、暗号化関数により光ディスク等の記録媒体に記録すべき記録情報に対応する記録信号を暗号化した暗号化記録信号を解読するための外部から入力された解読関数及び前記記録情報の再生を許可すべき再生装置を特定するための外部から入力された再生装置特定コードに基づき、変形解読関数を生成する変形解読関数生成工程と、前記変形解読関数を前記記録媒体に記録する変形解読関数記録工程と、を備えて構成される。
【００１６】
請求項３に記載の発明の作用によれば、変形解読関数生成工程において、外部から入力された解読関数及び再生装置特定コードに基づき、変形解読関数を生成する。
【００１７】
そして、変形解読関数記録工程において、変形解読関数を上記記録媒体に記録する。よって、当該記録媒体を用いて、再生装置特定コードが予め記憶された特定の再生装置によってのみ当該記録媒体に記録された変形解読関数から解読関数を生成することができるようにすることにより、特定の再生装置によってのみ解読関数を用いて暗号化記録信号を解読し、記録情報を再生させることができる。
【００１８】
上記の問題点を解決するために、請求項４に記載の発明は、暗号化関数により記録情報に対応する記録信号を暗号化した暗号化記録信号が予め記録された光ディスク等の第１記録媒体から当該暗号化記録信号を検出する検出工程と、前記暗号化記録信号を解読するための解読関数と前記記録情報の再生を許可すべき再生装置を特定するための再生装置特定コードとを用いて生成された変形解読関数が予め記録された第２記録媒体から当該変形解読関数を読み出し、当該変形解読関数及び予め記憶された前記再生装置特定コードに基づき、前記解読関数を生成する解読関数生成工程と、前記解読関数を用いて検出された前記暗号化記録信号を解読し、前記記録信号を出力する解読工程と、を備えて構成される。
【００１９】
請求項４に記載の発明の作用によれば、検出工程において、第１記録媒体から暗号化記録信号を検出する。これと並行して、解読関数生成工程において、変形解読関数を予め記憶した第２記録媒体から当該変形解読関数を読み出し、当該変形解読関数及び再生装置特定コードに基づき、解読関数を生成する。
【００２０】
そして、解読工程において、解読関数を用いて検出された暗号化記録信号を解読し、記録信号を出力する。よって、予め記憶された再生装置特定コードを用いて第２記録媒体に記録された変形解読関数に基づき解読関数が生成され、これに基づき暗号化記録信号が解読され記録信号が出力されるので、再生装置特定コードのない再生装置では記録信号の再生ができないこととなり、特定の再生装置によってのみ解読関数を用いて暗号化記録信号を解読し、記録情報を再生させることができる。
【００２１】
上記の問題点を解決するために、請求項５に記載の発明は、暗号化関数により記録情報に対応する記録信号を暗号化した暗号化記録信号が予め記録された光ディスク等の記録媒体から当該暗号化記録信号を検出する検出工程と、前記暗号化記録信号を解読するための解読関数と前記記録情報の再生を許可すべき再生装置を特定するための再生装置特定コードとを用いて生成された変形解読関数が予め記録された前記記録媒体から当該変形解読関数を読み出し、当該変形解読関数及び予め記憶された前記再生装置特定コードに基づき、前記解読関数を生成する解読関数生成工程と、前記解読関数を用いて検出された前記暗号化記録信号を解読し、前記記録信号を出力する解読工程と、を備えて構成される。
【００２２】
請求項５に記載の発明の作用によれば、検出工程において、記録媒体から暗号化記録信号を検出する。これと並行して、解読関数生成工程において、変形解読関数を予め記憶した記録媒体から当該変形解読関数を読み出し、当該変形解読関数及び再生装置特定コードに基づき、解読関数を生成する。
【００２３】
そして、解読工程において、解読関数を用いて検出された暗号化記録信号を解読し、記録信号を出力する。よって、予め記憶された再生装置特定コードを用いて記録媒体に記録された変形解読関数に基づき解読関数が生成され、これに基づき暗号化記録信号が解読され記録信号が出力されるので、再生装置特定コードのない再生装置では記録信号の再生ができないこととなり、特定の再生装置によってのみ解読関数を用いて暗号化記録信号を解読し、記録情報を再生させることができる。
【００２４】
上記の問題点を解決するために、請求項６に記載の発明は、予め設定した光ディスク等の記録媒体を識別するための識別コードに対応させて、若しくは、前記識別コードに基づいて、前記記録媒体に記録すべき記録情報に対応する記録信号を暗号化するための暗号化関数を生成するスクランブル関数発生器等の暗号化関数生成手段と、前記暗号化関数を用いて前記記録信号を暗号化し、暗号化記録信号を出力するスクランブラ等の暗号化手段と、前記暗号化記録信号とともに対応する前記識別コードを前記記録媒体に記録する記録装置等の記録手段と、前記暗号化関数に基づいて、前記暗号化記録信号を解読するための解読関数を生成する逆スクランブル関数発生器等の解読関数生成手段と、前記解読関数及び前記識別コードを外部に伝達する送信装置等の伝達手段と、を備えて構成される。
【００２５】
請求項６に記載の発明の作用によれば、暗号化関数生成手段は、識別コードに対応させて、若しくは、識別コードに基づいて暗号化関数を生成し、暗号化手段及び解読関数生成手段に出力する。
【００２６】
そして、暗号化手段は、暗号化関数を用いて記録信号を暗号化し、暗号化記録信号を記録手段に出力する。その後、記録手段は、暗号化記録信号とともに対応する識別コードを記録媒体に記録する。
【００２７】
これらと並行して、解読関数生成手段は、暗号化関数に基づいて、解読関数を生成し、伝達手段に出力する。そして、伝達手段は、解読関数及び対応する識別コードを外部に伝達する。
【００２８】
よって、解読関数及び対応する識別コードの被伝達側において、識別コードに対応する解読関数を取得し、当該解読関数と再生装置を特定する再生装置特定コードに基づいて生成された変形解読関数を他の記録媒体に記録し、当該再生装置特定コードが予め記憶された特定の再生装置によってのみ当該他の記憶媒体に記憶された変形解読関数から解読関数を生成することができるようにすることにより、上記特定の再生装置によってのみ解読関数を用いて暗号化記録信号を解読し、記録情報を再生させることができる。
【００２９】
上記の問題点を解決するために、請求項７に記載の発明は、光ディスク等の記録媒体を識別するための識別コードが予め記録された前記記録媒体から前記識別コードを検出する識別コード読み取り装置等の検出手段と、暗号化関数により前記記録媒体に記録すべき記録情報に対応する記録信号を暗号化した暗号化記録信号を解読するための外部から入力された解読関数並びに外部から入力された前記識別コードを記憶するメモリ装置等の記憶手段と、検出された前記識別コードに基づき前記記憶手段から読み出された前記解読関数及び外部から入力された前記記録情報の再生を許可すべき再生装置を特定するための再生装置特定コードに基づき、変形解読関数を生成する変形逆スクランブル関数発生器等の変形解読関数生成手段と、前記変形解読関数をＩＣカード等の外部の記録装置に記録する変形逆スクランブル関数記録器等の変形解読関数記録手段と、を備えて構成される。
【００３０】
請求項７に記載の発明の作用によれば、検出手段は、記録媒体から識別コードを検出し、変形解読関数生成手段に出力する。これと並行して、記憶手段は、外部から入力された識別コード及び解読関数を記憶する。
【００３１】
そして、変形解読関数生成工程において、検出された識別コードに基づいて記憶手段から読み出された解読関数及び再生装置特定コードに基づき、変形解読関数を生成し、変形解読関数記録手段に出力する。
【００３２】
その後、変形解読関数記録は、変形解読関数を外部の記録装置に記録する。よって、記録装置を用いて、再生装置特定コードが予め記憶された特定の再生装置によってのみ当該記録装置に記録された変形解読関数から解読関数を生成することができるようにすることにより、特定の再生装置によってのみ解読関数を用いて暗号化記録信号を解読し、記録情報を再生させることができる。
【００３３】
上記の問題点を解決するために、請求項８に記載の発明は、光ディスク等の記録媒体を識別するための識別コードが予め記録された前記記録媒体から前記識別コードを検出する識別コード読み取り装置等の検出手段と、暗号化関数により前記記録媒体に記録すべき記録情報に対応する記録信号を暗号化した暗号化記録信号を解読するための外部から入力された解読関数並びに外部から入力された前記識別コードを記憶するメモリ装置等の記憶手段と、検出された前記識別コードに基づき前記記憶手段から読み出された前記解読関数及び外部から入力された前記記録情報の再生を許可すべき再生装置を特定するための再生装置特定コードに基づき、変形解読関数を生成する変形逆スクランブル関数発生器等の変形解読関数生成手段と、前記変形解読関数を前記記録媒体に記録する記録ヘッド等の変形解読関数記録手段と、を備えて構成される。
【００３４】
請求項８に記載の発明の作用によれば、検出手段は、記録媒体から識別コードを検出し、変形解読関数生成手段に出力する。これと並行して、記憶手段は、外部から入力された識別コード及び解読関数を記憶する。
【００３５】
そして、変形解読関数生成は、検出された識別コードに基づいて記憶手段から読み出された解読関数及び再生装置特定コードに基づき、変形解読関数を生成し、変形解読関数記録手段に出力する。
【００３６】
その後、変形解読関数記録手段は、変形解読関数を上記記録媒体に記録する。よって、当該記録媒体を用いて、再生装置特定コードが予め記憶された特定の再生装置によってのみ当該記録媒体に記録された変形解読関数から解読関数を生成することができるようにすることにより、特定の再生装置によってのみ解読関数を用いて暗号化記録信号を解読し、記録情報を再生させることができる。
【００３７】
上記の問題点を解決するために、請求項９に記載の発明は、暗号化関数により記録情報に対応する記録信号を暗号化した暗号化記録信号が予め記録された光ディスク等の記録媒体から当該暗号化記録信号を検出する光ピックアップ等の検出手段と、前記暗号化記録信号を解読するための解読関数と前記記録情報の再生を許可すべき再生装置を特定するための再生装置特定コードとを用いて生成された変形解読関数が予め記録されたＩＣカード等の記録装置から当該変形解読関数を読み出し、当該変形解読関数及び予め記憶された前記再生装置特定コードに基づき、前記解読関数を生成する逆スクランブル関数発生器等の解読関数生成手段と、前記解読関数を用いて検出された前記暗号化記録信号を解読し、前記記録信号を出力する逆スクランブル回路等の解読手段と、を備えて構成される。
【００３８】
請求項９に記載の発明の作用によれば、検出手段は、記録媒体から暗号化記録信号を検出し、解読手段に出力する。これと並行して、解読関数生成手段は、記録装置から変形解読関数を読み出し、当該変形解読関数及び再生装置特定コードに基づき、解読関数を生成し、解読手段に出力する。
【００３９】
そして、解読手段は、解読関数を用いて検出された暗号化記録信号を解読し、記録信号を出力する。よって、予め記憶された再生装置特定コードを用いて記録装置に記録された変形解読関数に基づき解読関数が生成され、これに基づき暗号化記録信号が解読され記録信号が出力されるので、再生装置特定コードのない再生装置では記録信号の再生ができないこととなり、特定の再生装置によってのみ解読関数を用いて暗号化記録信号を解読し、記録情報を再生させることができる。
【００４０】
上記の問題点を解決するために、請求項１０に記載の発明は、暗号化関数により記録情報に対応する記録信号を暗号化した暗号化記録信号が予め記録された光ディスク等の記録媒体から当該暗号化記録信号を検出する光ピックアップ等の検出手段と、前記暗号化記録信号を解読するための解読関数と前記記録情報の再生を許可すべき再生装置を特定するための再生装置特定コードとを用いて生成された変形解読関数が予め記録された前記記録媒体から当該変形解読関数を読み出し、当該変形解読関数及び予め記憶された前記再生装置特定コードに基づき、前記解読関数を生成する逆スクランブル関数発生器等の解読関数生成手段と、前記解読関数を用いて検出された前記暗号化記録信号を解読し、前記記録信号を出力する逆スクランブル回路等の解読手段と、を備えて構成される。
【００４１】
請求項１０に記載の発明の作用によれば、検出手段は、記録媒体から暗号化記録信号を検出し、解読手段に出力する。これと並行して、解読関数生成手段は、記録媒体から変形解読関数を読み出し、当該変形解読関数及び再生装置特定コードに基づき、解読関数を生成し、解読手段に出力する。
【００４２】
そして、解読手段は、解読関数を用いて検出された暗号化記録信号を解読し、記録信号を出力する。よって、予め記憶された再生装置特定コードを用いて記憶媒体に記憶された変形解読関数に基づき解読関数が生成され、これに基づき暗号化記録信号が解読され記録信号が出力されるので、再生装置特定コードのない再生装置では記録信号の再生ができないこととなり、特定の再生装置によってのみ解読関数を用いて暗号化記録信号を解読し、記録情報を再生させることができる。
【発明の効果】
【００４３】
以上説明したように、請求項１又は６に記載の発明によれば、暗号化関数及び識別コードを用いて暗号化記録信号を生成し、当該暗号化記録信号と対応する識別コードを記録媒体に記録するとともに、暗号化記録信号を解読する解読関数を対応する識別コードとともに伝達するので、解読関数及び対応する識別コードの被伝達側において、識別コードに対応する解読関数を取得し、当該解読関数と再生装置を特定する再生装置特定コードに基づいて生成された変形解読関数を他の記録媒体に記録し、当該再生装置特定コードが予め記憶された特定の再生装置によってのみ当該他の記憶媒体に記憶された変形解読関数から解読関数を生成することができるようにすることにより、特定の再生装置によってのみ解読関数を用いて暗号化記録信号を解読し、記録情報を再生させることができる。
【００４４】
従って、再生装置の特定化をより効果的且つ完全に行うことができる。請求項２又は７に記載の発明によれば、解読関数及び再生装置特定コードに基づき、変形解読関数を生成し、これを外部の第２記録媒体（記録装置）に記録するので、当該第２記録媒体（記録装置）を用いて、再生装置特定コードが予め記憶された特定の再生装置によってのみ第２記録媒体（記録装置）に記録された変形解読関数から解読関数を生成することができるようにすることにより、特定の再生装置によってのみ解読関数を用いて暗号化記録信号を解読し、記録情報を再生させることができる。
【００４５】
従って、再生装置の特定化をより効果的且つ完全に行うことができる。請求項３又は８に記載の発明によれば、解読関数及び再生装置特定コードに基づき、変形解読関数を生成し、これを記録媒体に記録するので、記録媒体を用いて、再生装置特定コードが予め記憶された特定の再生装置によってのみ当該記憶媒体に記憶された変形解読関数から解読関数を生成することができるようにすることにより、特定の再生装置によってのみ解読関数を用いて暗号化記録信号を解読し、記録情報を再生させることができるとともに、暗号化記録信号の記録媒体と変形解読関数の記録媒体を共通化できる。
【００４６】
よって、再生装置の特定化をより効果的、簡便且つ完全に行うことができる。請求項４又は９に記載の発明によれば、第２記録媒体（記録装置）から読み出された変形解読関数及び予め記憶された再生装置特定コードに基づき解読関数を生成し、これを用いて暗号化記録信号を解読して記録信号を出力するので、再生装置特定コードのない再生装置では記録信号の再生ができないこととなり、特定の再生装置によってのみ解読関数を用いて暗号化記録信号を解読し、記録情報を再生させることができる。
【００４７】
よって、再生装置の特定化をより効果的且つ完全に行うことができる。請求項５又は１０に記載の発明によれば、記録媒体から読み出された変形解読関数及び予め記憶された再生装置特定コードに基づき、解読関数を生成し、これを用いて検出された暗号化記録信号を解読して記録信号を出力するので、再生装置特定コードのない再生装置では記録信号の再生ができないこととなり、特定の再生装置によってのみ解読関数を用いて暗号化記録信号を解読し、記録情報を再生させることができるとともに、暗号化記録信号の記録媒体と変形解読関数の記録媒体とを共通化できる。
【００４８】
従って、再生装置の特定化をより効果的、簡便且つ完全に行うことができる。
【発明を実施するための最良の形態】
【００４９】
次に、本発明に好適な実施形態について、図面に基づいて説明する。（Ｉ）第１実施形態始めに、請求項１、２、４、６、７、９に記載の発明に対応する第１実施形態について、図１乃至図３を用いて説明する。なお、第１実施形態は、映像情報を含む記録情報が記録された光ディスクを需要者に貸し出す、いわゆるレンタルビジネスにおいて、貸与された需要者における不法コピー等を防止するために貸し出した光ディスクを再生される再生装置を特定化する場合について本発明を適用したものである。（Ａ）第１実施形態における情報記録装置先ず、請求項１及び６に記載の発明に対応する情報記録装置の実施形態について図１を用いて説明する。なお、本実施形態は、映像情報を含む記録情報を光ディスクに記録する情報記録装置について本発明を適用した場合について説明するものであり、当該情報記録装置は、実際には、光ディスクの流通過程の内、記録情報が記録された光ディスクを製造する製造部門に設置されるものである。
【００５０】
図１に示すように、本実施形態の情報記録装置Ｓ1は、記録情報として光ディスクＤＫに記録すべき映像信号及び音声信号により構成される記録信号ＳR を出力する映像・音声信号源１と、記録信号ＳR が記録されるべき光ディスクＤＫを他の光ディスクから識別するためのディスク識別コードを発生し、対応するディスク識別コード信号ＳI を出力するディスク識別コード発生器２と、ディスク識別コード信号ＳI に対応するディスク識別コードに基づき、記録信号ＳR を暗号化（スクランブル化）するための暗号化関数としてのスクランブル関数を生成し、対応するスクランブル関数信号ＳF を出力する暗号化関数生成手段としてのスクランブル関数発生器３と、スクランブル関数信号ＳF に対応するスクランブル関数を用いて記録信号ＳR を暗号化し、暗号化記録信号ＳRSを出力する暗号化手段としてのスクランブラ４と、暗号化記録信号ＳRSに対してディスク識別コード信号ＳI を多重してコード多重暗号化記録信号ＳRSA を生成し、当該コード多重暗号化記録信号ＳRSA に対して光ディスクＤＫに記録するための所定のフォーマット化を施すフォーマッタ５と、フォーマット化されたコード多重暗号化記録信号ＳRSA を光ディスクＤＫに記録するための記録装置６と、スクランブル関数信号ＳF に基づき、スクランブル関数により暗号化された暗号化記録信号ＳRSを解読して元の記録信号ＳR に変換するための解読関数としての逆スクランブル関数を生成し、対応する逆スクランブル関数信号ＳRFを出力する解読関数生成手段としての逆スクランブル関数発生器７と、当該逆スクランブル関数信号ＳRFにディスク識別コード信号ＳI を多重してコード多重逆スクランブル関数信号ＳIFを生成し、当該コード多重逆スクランブル関数信号ＳIFを電話回線等の通信回線を介して後述のＩＣカード発行機に伝送する伝達手段としての送信装置８とにより構成されている。
【００５１】
次に情報記録装置Ｓ1の動作を説明する。映像・音声信号源１から出力された記録信号ＳR は、スクランブラ４に入力され、スクランブル関数発生器３が出力するスクランブル関数信号ＳF に対応するスクランブル関数に基づいて暗号化される。このとき、当該スクランブル関数はディスク識別コードに基づいてディスク識別コード毎に異なって生成されるので、記録信号ＳR は、ディスク識別コード毎に異なったスクランブル関数により暗号化されることとなる。そして、暗号化された暗号化記録信号ＳRSが、暗号化の際のスクランブル関数に対応するディスク識別コードとともにフォーマッタ５によりフォーマット化され、コード多重暗号化記録信号ＳRSA として記録装置６を介して光ディスクＤＫに記録される。
【００５２】
一方、上記の動作と並行して、スクランブル関数信号ＳF は、逆スクランブル関数発生器７に入力され、記録信号ＳR の暗号化に用いられたスクランブル関数に基づき、暗号化記録信号ＳRSを解読して元の記録信号ＳR を得るための逆スクランブル関数が生成され、対応する逆スクランブル関数信号ＳRFが出力される。そして、送信装置８において、当該逆スクランブル関数とディスク識別コードが多重され、コード多重逆スクランブル関数信号ＳIFとして出力され、電話回線等の所定の通信回線により次に説明するＩＣカード発行機に送信される。
【００５３】
また、コード多重暗号化記録信号ＳRSA が記録された光ディスクＤＫは、図示しないレプリカ装置により大量に複製され、次に説明するＩＣカード発行機が設置されたレンタル部門に搬送される。
【００５４】
なお、実際には、複数種類の記録情報に対応した複数種類の光ディスクＤＫが製造されるともに、当該複数種類の記録情報に対応した複数種類のコード多重逆スクランブル関数信号ＳIFがＩＣカード発行機に送信される。
【００５５】
更に、上記の説明においては、暗号化関数としてスクランブル関数を例示したが、この他に、スクランブル関数に対応する所定のプログラムにより記録信号ＳR を暗号化するようにすることもできる。
【００５６】
また、上記の情報記録装置Ｓ1 においては、ディスク識別コードに基づき、これを用いてスクランブル関数を生成する構成としたが、これに限らず、異なる種類の記録信号ＳR が発生される度にスクランブル関数発生器３において異なるスクランブル関数を発生させるとともに、これと同じタイミングでディスク識別コード発生器２において異なるディスク識別コードを発生させるようにし、このスクランブル関数とディスク識別コードを記録信号ＳR に対応するものとして後述のＩＣカード発行機に送信するようにしてもよい。
【００５７】
更にまた、上述の情報記録装置Ｓ1 においては、ディスク識別コード発生器２を設けてディスク識別コードを発生させ、これに基づいてスクランブル関数及び逆スクランブル関数を生成するようにしたが、この他に、記録信号ＳR に含まれている、記録信号ＳR の種類毎に特有のＴＯＣ（Table Of Contents ）データを当該記録信号ＳR が記録されている光ディスクＤＫを特定するディスク識別コードとして用い、このＴＯＣデータに基づいてスクランブル関数及び逆スクランブル関数を生成するとともに、記録装置６により生成したスクランブル関数とＴＯＣデータを光ディスクＤＫに記録し、更に、当該ＴＯＣデータと逆スクランブル関数を送信装置８によりＩＣカード発行機に送信するようにすることもできる。この場合には、ディスク識別コード発生器２が不要であることはいうまでもない。（Ｂ）第１実施形態における関数記録装置次に、請求項２及び７に記載の発明に対応する関数記録装置の実施形態としてのＩＣカード発行機について図２を用いて説明する。なお、本ＩＣカード発行機は、実際には、光ディスクの流通過程の内、光ディスクを需要者に貸し出すレンタル部門（レンタル店）に設置されるものである。
【００５８】
図２に示すように、本実施形態のＩＣカード発行機Ｓ2 は、上述の情報記録装置Ｓ1 によりコード多重暗号化記録信号ＳRSA が記録された光ディスクＤＫから当該コード多重暗号化記録信号ＳRSA を読み出し、その中からディスク識別コードを抽出して対応するディスク識別コード信号ＳI を出力する検出手段としてのディスク識別コード読取り器１０と、通信回線を介して上述の情報記録装置Ｓ1から送信されたコード多重逆スクランブル関数信号ＳIF（複数種類の記録情報に対応する複数種類のコード多重逆スクランブル関数信号ＳIFが送信されている。）から複数種類の逆スクランブル関数を抽出し、それぞれ対応するディスク識別コードとともに一時的に記憶するとともに、ディスク識別コード読取り器１０から入力されたディスク識別コード信号ＳI に基づき、当該ディスク識別コード信号に合致するディスク識別コードに対応する逆スクランブル関数を逆スクランブル関数信号ＳRFとして出力する記憶手段としてのメモリ装置１１と、光ディスクＤＫを借りる需要者が予め設定した再生装置特定コードを入力するキーボード１２と、入力された再生装置特定コードを複数の再生装置特定コードを予め記録した再生装置特定コードファイル１３の記録内容と照合し、再生装置特定コードファイル１３に予め記録（登録）された再生装置特定コードに対応する再生装置特定コード信号ＳT が入力された場合にのみ当該再生装置特定コード信号ＳT を出力する照合器１４と、逆スクランブル関数信号ＳRF及び再生装置特定コード信号ＳT に基づき、当該逆スクランブル関数を再生装置特定コードで変形した変形逆スクランブル関数を生成し、対応する変形逆スクランブル関数信号ＳRFX を出力する変形解読関数生成手段としての変形逆スクランブル関数発生器１５と、変形逆スクランブル関数信号ＳRFX を第２記録媒体又は記録装置としてのＩＣカードＣに記録する変形解読関数記録手段としての変形逆スクランブル関数記録器１６と、により構成されている。
【００５９】
次にＩＣカード発行機Ｓ2 の動作を説明する。情報記録装置Ｓ1 から通信回線を介して伝達された複数種類のコード多重逆スクランブル関数信号ＳIFは、メモリ装置１１に記録され、それぞれの逆スクランブル関数が対応するディスク識別コードとともに保存される。一方、コード多重暗号化記録信号ＳRSA が記録され、製造部門より搬送された光ディスクＤＫからディスク識別コード読取り器１０により読取られたディスク識別コードは、メモリ装置１１に入力され、そこに記憶されているディスク識別コードと照合され、入力された当該ディスク識別コードと同一のディスク識別コードが記憶されていれば、そのディスク識別コードに対応する逆スクランブル関数が逆スクランブル関数信号ＳRFとして変形逆スクランブル関数発生器１５に出力される。
【００６０】
これと並行して、需要者が予め設定された再生装置特定コードをキーボード１２から入力すると、照合器１４は入力された再生装置特定コードを予め複数の再生措置特定コードが登録された再生装置特定コードファイル１３と照合し、予め登録されている再生装置特定コードが入力された場合にのみ、当該再生装置特定コードを再生装置特定コード信号ＳT として変形逆スクランブル関数発生器１５に出力する。そして、変形逆スクランブル関数発生器１５は、逆スクランブル関数信号ＳRF及び再生装置特定コード信号ＳT に基づいて、変形逆スクランブル関数を生成し、対応する変形逆スクランブル関数信号ＳRFX を出力し、変形逆スクランブル関数記録器１６が変形逆スクランブル関数信号ＳRFX をＩＣカードＣに記録する。このとき、変形逆スクランブル関数信号ＳRFX をそのままＩＣカードＣに記録するようにしてもよいが、乱数化又はコード化して記録するようにしてもよい。
【００６１】
この後、需要者は、コード多重暗号化記録信号ＳRSA が記録された光ディスクＤＫと変形逆スクランブル関数信号ＳRFX が記録されたＩＣカードＣを次に述べる情報再生装置の設置場所に持ち帰ることとなる。
【００６２】
なお、情報記録装置Ｓ1 の説明で述べたように、記録信号ＳR に対応するＴＯＣデータをディスク識別コードとして用いる場合には、メモリ装置１１は、逆スクランブル関数とともに送信されたＴＯＣデータを記憶し、更に、ディスク識別コード読取り器１０は、光ディスクＤＫからＴＯＣデータを読み出し、メモリ装置１１は、読み出したＴＯＣデータとメモリ装置１１に記憶されているＴＯＣデータを照合して合致したＴＯＣデータに対応する逆スクランブル関数を出力することとなる。（Ｃ）第１実施形態における情報再生装置次に、請求項４及び９に記載の発明に対応する情報再生装置の実施形態としての再生機について図３を用いて説明する。なお、本再生機は、実際には、光ディスクの流通過程の内、需要者が所有するものである。図３に示すように、本実施形態の再生機Ｓ3 は、需要者により持ち帰られ、コード多重暗号化記録信号ＳRSA が記録された光ディスクＤＫから当該コード多重暗号化記録信号ＳRSA を検出する検出手段としてのピックアップ２０と、検出されたコード多重暗号化記録信号ＳRSA を再生するとともに、当該コード多重暗号化記録信号ＳRSA から暗号化記録信号ＳRSを抽出し出力する検出手段としての再生回路２１と、予め入力された再生装置特定コードを記憶する再生装置特定コードメモリ２２と、光ディスクＤＫとともに持ち帰られたＩＣカードＣから変形逆スクランブル関数信号ＳRFX を読み出すとともに、読み出した変形逆スクランブル関数信号ＳRFX に対応する変形逆スクランブル関数及び記憶された再生装置特定コードに基づき、逆スクランブル関数を生成し、逆スクランブル関数信号ＳRFを出力する解読関数生成手段としての逆スクランブル関数発生器２３と、逆スクランブル関数信号ＳRFに基づき、入力された暗号化記録信号ＳRSを解読して記録信号ＳR を出力する解読手段としての逆スクランブル回路２４と、により構成される。
【００６３】
次に、再生機Ｓ3 の動作を説明する。持ち帰られた光ディスクＤＫに記録されたコード多重暗号化記録信号ＳRSA はピックアップ２０により検出され、その中から再生回路２１により暗号化記録信号ＳRSが抽出され、逆スクランブル回路２４に入力される。
【００６４】
これと並行して、再生装置特定コードメモリ２２から予め記憶された再生装置特定コードが読み出され、再生装置特定コード信号ＳI として逆スクランブル関数発生器２３に入力される。ここで、再生装置特定コードメモリ２２に記憶されている再生装置特定コードは、上述のＩＣカード発行機Ｓ2 において、光ディスクＤＫの貸し出しの際にキーボード１２から入力されたものと同様のコードである。更に、再生装置特定コードメモリ２２は、需要者が再生機Ｓ3 の購入の際に当該再生装置に固有の再生装置特定コードを記憶させるものであり、一度再生装置特定コードを記憶するとその後の書き換え（新しい再生装置特定コードの入力）はできないように、書き換え不能の不揮発性メモリにより構成されている。
【００６５】
再生装置特定コード信号ＳT が入力されるとともに、ＩＣカードＣから変形逆スクランブル関数信号ＳRFX が入力されると、逆スクランブル関数発生器２３は、暗号化記録信号ＳRSを解読するための逆スクランブル関数を生成し、対応する逆スクランブル関数信号ＳRFを逆スクランブル回路２４に出力する。このとき、逆スクランブル関数発生器２３で生成される逆スクランブル関数は、上述の情報記録装置Ｓ1 における逆スクランブル関数発生器７で生成されたものと同じものである。
【００６６】
その後、逆スクランブル回路２４は、逆スクランブル関数信号ＳRFに対応する逆スクランブル関数を用いて暗号化記録信号ＳRSを解読し、元の記録信号ＳR を出力する。そして、出力された記録信号ＳR に含まれる映像信号に対応する映像並びに記録信号ＳR に含まれる音声信号に対応する音声は、モニタ受像機２５により表示又は出力される。
【００６７】
以上の動作により、光ディスクＤＫに記録された記録信号ＳR が正常に再生される。以上説明したように、第１実施形態を構成する情報記録装置Ｓ1 、ＩＣカード発行機Ｓ2 及び再生機Ｓ3 によれば、逆スクランブル関数と再生装置特定コードに基づいて生成された変形逆スクランブル関数をＩＣカードＣに記録し、当該ＩＣカードＣをスクランブル化された暗号化記録信号ＳRSが記録された光ディスクＤＫとともに需要者に貸し出し、当該需要者が保有する上記再生装置特定コードが記憶された再生機Ｓ3 でのみＩＣカードＣから読み出された変形逆スクランブル関数から逆スクランブル関数を生成できることとし、これにより暗号化記録信号ＳRSを解読して記録信号ＳR を出力するように構成したので、再生装置特定コードを有する再生機Ｓ3 でのみ記録信号ＳR が再生できることとなり、再生機の特定化をより効果的且つ完全に行える。
【００６８】
なお、上記の再生機Ｓ3 の構成においては、再生装置特定コードメモリ２２を追記不可能な不揮発性メモリにより構成し、再生装置特定コードの追加登録ができないようにしたが、これ以外に、再生装置特定コードメモリ２２を追記可能な不揮発性メモリにより構成し、再生装置を特定するのに適切な回数の再生装置特定コードの追記を可能にすることもできる。この場合には、過去に記憶された再生装置特定コードが保存されるような構成とし、当該過去に記憶された再生装置特定コードと同じコードは追記できないようにされる。これにより、過去の再生装置特定コードで登録した光ディスクＤＫは再生不能となり、需要者の被る不利益が大きいので、不法コピー防止効果が向上する。
【００６９】
また、ＩＣカードＣにタイマ機能を備えさせ、ＩＣカード発行機Ｓ2 における変形逆スクランブル関数の記憶後所定時間経過した後は再生器Ｓ3 において変形逆スクランブル関数の読み出しを不可能とすることもできる。この場合にも、返却期限を徒過した光ディスクＤＫの再生が不能となるので、不法行為防止効果が増大する。
【００７０】
更に、需要者による不法な改造等を防止するため、再生装置特定コードメモリ２２と逆スクランブル関数発生器２３を一体不可分のＬＳＩ（Large Scale Integration ）回路により構成し、又は同様の目的のため、ＩＣカードＣに逆スクランブル関数発生器２３を内蔵するようにすることもできる。（II）第２実施形態次に、請求項３、５、８及び１０に記載の発明に対応する第２実施形態について、図４及び図５を用いて説明する。なお、第２実施形態は、第１実施形態と同様に、映像情報を含む記録情報が記録された光ディスクのレンタルビジネスにおいて、貸し出した光ディスクを再生される再生装置を特定化する場合について本発明を適用したものである。第２実施形態においては、変形逆スクランブル関数がＩＣカードＣに記録されるのではなく、光ディスクＤＫの磁気記録帯等の書き換え可能記録部分に記録される。
【００７１】
また、以下の説明において、第１実施形態と同様の部材には同様の部材番号を付し、構成及び動作に関する細部の説明は省略する。（Ａ）第２実施形態における情報記録装置第２実施形態を構成する情報記録装置の実施形態は、光ディスクＤＫ’がコード多重暗号化記録信号ＳRSA を記録する記録領域以外の領域に当該記録領域と同心円状の情報の書き換え可能な磁気記録帯を備えていること以外、第１実施形態を構成する情報記録装置Ｓ1 の構成と同様であるので、説明は省略する。（Ｂ）第２実施形態における関数記録装置次に、請求項３及び８に記載の発明に対応する関数記録装置の実施形態としてのディスク登録機について図４を用いて説明する。なお、本ディスク登録機は、実際には、光ディスクＤＫ’（光ディスクＤＫに比して、コード多重暗号化記録信号ＳRSA を記録する記録領域以外の領域に当該記録領域と同心円状の情報の書き換え可能な磁気記録帯Ｔを備えている）を貸し出すレンタル部門（レンタル店）に設置されるものである。
【００７２】
図４に示すように、本実施形態のディスク登録機Ｓ4 は、第１実施形態のＩＣカード発行機Ｓ2 における変形逆スクランブル関数記録器１６に代えて、変形逆スクランブル関数発生器１５で生成された変形逆スクランブル関数に対応する変形逆スクランブル関数信号ＳRFX を光ディスクＤＫ’の磁気記録帯Ｔに記録する変形解読関数記録手段としての磁気ヘッド３０を備えている。その他の構成は、第１実施形態のＩＣカード発行機Ｓ2 と同様であるので細部の説明は省略する。
【００７３】
次に、ディスク登録機Ｓ4 の動作を説明する。ディスク登録機Ｓ4 においては、変形逆スクランブル関数発生器１５で生成された変形逆スクランブル関数に対応する変形逆スクランブル関数信号ＳRFX は、磁気ヘッド３０により、光ディスクＤＫ’の磁気記録帯Ｔに磁気記録される。その他の動作は第１実施形態のＩＣカード発行機Ｓ2 と同様であるので細部の説明は省略する。
【００７４】
需要者は、コード多重暗号化記録信号ＳRSA 及び変形逆スクランブル関数信号ＳRFX が記録された光ディスクＤＫ’を次に述べる情報再生装置の設置場所に持ち帰ることとなる。（Ｃ）第２実施形態における情報再生装置次に、請求項５及び１０に記載の発明に対応する情報再生装置の実施形態としての再生機について図５を用いて説明する。なお、本再生機は、第１実施形態の再生機Ｓ3 と同様に、需要者が所有するものである。
【００７５】
図５に示すように、本実施形態の再生機Ｓ5 は、第１実施形態における再生機Ｓ3 のＩＣカードＣに代えて、需要者により持ち帰られた光ディスクＤＫ’の磁気記録帯Ｔに記録された変形逆スクランブル関数信号ＳRFX を読み出す読取りヘッド３１を備えている。その他の構成は、第１実施形態のＩＣカード発行機Ｓ2と同様であるので細部の説明は省略する。
【００７６】
次に、再生機Ｓ5 の動作を説明する。再生機Ｓ5 においては、読取りヘッド３１が光ディスクＤＫ’の磁気記録帯Ｔから変形逆スクランブル関数信号ＳRFX を読み出し、逆スクランブル関数発生器２３は、読取りヘッド３１により読み出された変形逆スクランブル関数信号ＳRFX 及び再生装置特定コードメモリ２２から出力された再生装置特定コード信号ＳT に基づき、逆スクランブル関数を生成し、対応する逆スクランブル関数信号ＳRFを逆スクランブル回路２４に出力する。その他の動作は第１実施形態の再生機Ｓ3 と同様であるので細部の説明は省略する。
【００７７】
以上説明したように、第２実施形態を構成する情報記録装置Ｓ1 、ディスク登録機Ｓ4 及び再生機Ｓ5 によれば、変形逆スクランブル関数信号ＳRFX を光ディスクＤＫ’の磁気記録帯Ｔに記録するようにしたので、ＩＣカードＣを用いる必要がなく、第１実施形態と同様の、再生装置特定コードを有する再生機Ｓ5 でのみ記録信号ＳR が再生できることとなり、再生機の特定化をより効果的且つ完全に行えるという効果に加えて、より簡便性に富むという効果を奏する。
【００７８】
また、第２実施形態の情報記録装置Ｓ1 、ディスク登録機Ｓ4 及び再生機Ｓ5においても、第１実施形態の情報記録装置Ｓ1 、ＩＣカード発行機Ｓ2 及び再生機Ｓ3 の説明において示したような変形が可能である。（III ）第２実施形態の変形形態次に、第２実施形態の変形形態について説明する。
【００７９】
第２実施形態の変形形態は、第２実施形態を、レンタルビジネスではなく、通常の販売態様である、いわゆる売り切り光ディスクに適用した形態である。第２実施形態の変形形態においては、光ディスクの一部に変形逆スクランブル関数信号ＳRFX を書き換え不可能に記録する。例えば、第２実施形態のディスク登録機Ｓ4 における磁気による記録ヘッド３０に代えて、印刷印字による印字ヘッドを用いて、変形逆スクランブル関数を光ディスクに印刷若しくは刻印する。そして、再生機においては、第２実施形態の再生機Ｓ5 における磁気による読取りヘッド３１に代えて光学式の読取りヘッドにより印刷又は刻印された上記変形逆スクランブル関数を読取るように構成されている。
【００８０】
その他の構成及び動作については、第２実施形態と同様であるので細部の説明は省略する。以上のように構成することにより、上記の売り切り光ディスクの場合でも第２実施形態の効果と同様に、再生機の特定化をより効果的且つ完全に行うことができる。
【００８１】
また、レンタル用光ディスクと売り切り光ディスクの双方において、変形逆スクランブル関数の記録フォーマット及び光ディスク上の記録位置を同一とし、書き換え可能記録帯（図４又は図５符号Ｔ参照）と書き換え不能記録帯とを同一読取りヘッドで変形逆スクランブル関数が読取れるような材料（例えば、相変化記録材料）で構成することにより、同一の再生機で双方の光ディスクを再生可能とすることもできる。（IV）第３実施形態次に、第１実施形態における光ディスクＤＫを、コンピュータ用の記録媒体であるＣＤ−ＲＯＭ（Compact Disk-Read Only Memory ）に応用した場合の第３実施形態について図６を用いて説明する。
【００８２】
第３実施形態においては、情報記録装置及びＩＣカード発行機は第１実施形態と同様のものであるので、細部の説明は省略する。但し、本実施形態においては、記録信号ＳR として、映像情報や音楽情報を含む記録信号ではなく、コンピュータ用のディジタルデータが暗号化され記録されている。
【００８３】
次に、第３実施形態における再生機及びコンピュータについて説明する。なお、以下の説明において、第１実施形態と同様の部材については同様の部材番号を付し、細部の説明は省略する図６に示すように、第３実施形態における再生機Ｓ6 は、ディジタルデータであるコード多重暗号化記録信号ＳRSA が記録されている光ディスクＤＫから当該コード多重暗号化記録信号ＳRSA を検出するピックアップ２０と、検出されたコード多重暗号化記録信号ＳRSA から暗号化記録信号ＳRSを抽出する再生回路２１のみにより構成されている。そして、再生装置特定コードメモリ２２、逆スクランブル関数発生器２３、逆スクランブル回路２４は、コンピュータＣＯ中の拡張スロットに挿入される逆スクランブルボードＢ上に配置され、そこにＩＣカードＣからの変形逆スクランブル関数信号ＳRFX を所定の方法で入力することにより暗号化記録信号ＳRSの解読・再生を行う。そして、再生された記録信号ＳR がＣＰＵ等を含むコンピュータ本体Ｍに出力される。逆スクランブルボードＢ上における各部材の動作は第１実施形態と同様であるので、細部の説明は省略する。
【００８４】
第３実施形態においては、再生機Ｓ6 から出力されるのは、暗号化記録信号ＳR のみであるので、不法にコピーされることはなく、更に、再生された記録信号ＳR は、コンピュータＣＯの内部でのみ授受されるので、盗用することが非常に困難となる。
【００８５】
以上説明したように、第３実施形態によれば、光ディスクＤＫを、コンピュータ用のＣＤ−ＲＯＭに適用した場合でも、第１実施形態と同様の効果を得ることができる。
【００８６】
なお、第３実施形態では、ＩＣカードＣの代わりに、変形逆スクランブル関数信号ＳRFX を記録する記録媒体としてフレキシブルディスク（ＦＤ）を用いることも可能である。この場合には、コンピュータＣＯのＦＤドライブ装置で変形逆スクランブル関数信号ＳRFX を読取り、直接スクランブルボードＢ上の逆スクランブル関数発生器２３に出力することとなる。（Ｖ）第４実施形態次に、第２実施形態における光ディスクＤＫを、ＣＤ−ＲＯＭに応用した場合の第４実施形態について図７を用いて説明する。
【００８７】
第４実施形態においては、情報記録装置及びディスク登録機は第２実施態と同様のものであるので、細部の説明は省略する。但し、本実施形態においては、第３実施形態と同様に、記録信号ＳR として、映像情報や音楽情報を含む記録信号ではなく、コンピュータ用のディジタルデータが暗号化され記録されている。
【００８８】
次に、第４実施形態における再生機及びコンピュータについて説明する。なお、以下の説明において、第２実施形態と同様の部材については同様の部材番号を付し、細部の説明は省略する図７に示すように、第４実施形態における再生機Ｓ7 は、ディジタルデータであるコード多重暗号化記録信号ＳRSA が記録されている光ディスクＤＫ’から当該コード多重暗号化記録信号ＳRSA を検出するピックアップ２０と、検出されたコード多重暗号化記録信号ＳRSA から暗号化記録信号ＳRSを抽出する再生回路２１と、光ディスクＤＫ’の磁気記録帯Ｔに記録されている変形逆スクランブル関数信号ＳRFX を読み取る記録ヘッド３１のみにより構成されている。そして、再生装置特定コードメモリ２２、逆スクランブル関数発生器２３、逆スクランブル回路２４は、第３実施形態と同様に、コンピュータＣＯ中の拡張スロットに挿入される逆スクランブルボードＢ上に配置され、記録ヘッド３１からの変形逆スクランブル関数信号ＳRFX を入力することにより暗号化記録信号ＳRSの解読・再生を行う。そして、再生された記録信号ＳR がＣＰＵ等を含むコンピュータ本体Ｍに出力される。逆スクランブルボードＢ上における各部材の動作は第２実施形態と同様であるので、細部の説明は省略する。
【００８９】
第４実施形態においては、再生機Ｓ6 から出力されるのは、暗号化記録信号ＳR 及び変形逆スクランブル関数信号ＳRFX のみであるので、不法にコピーされることはなく、更に、再生された記録信号ＳR は、コンピュータＣＯの内部のみで授受されるので、盗用することが非常に困難となる。
【００９０】
以上説明したように、第４実施形態によれば、光ディスクＤＫ’を、コンピュータ用のＣＤ−ＲＯＭに適用した場合でも、第２実施形態と同様の効果を得ることができる。
【００９１】
なお、上記の各実施形態において、一の需要者が複数の再生機を所有する場合には、当該需要者が所有する再生機の再生装置特定コードを全て同一に統一しておけば、当該再生装置特定コードを需要者特定コードとして活用することができる。
【図面の簡単な説明】
【００９２】
【図１】第１実施形態に係る情報記録装置の概要構成ブロック図である。
【図２】第１実施形態に係るＩＣカード発行機の概要構成ブロック図である。
【図３】第１実施形態に係る再生機の概要構成ブロック図である。
【図４】第２実施形態に係るディスク登録機の概要構成ブロック図である。
【図５】第２実施形態に係る再生機の概要構成ブロック図である。
【図６】第３実施形態に係る再生機及びコンピュータの概要構成ブロック図である。
【図７】第４実施形態に係る再生機及びコンピュータの概要構成ブロック図である。
【符号の説明】
【００９３】
１…映像・音声信号源
２…ディスク識別コード発生器
３…スクランブル関数発生器
４…スクランブラ
５…フォーマッタ
６…記録装置
７…逆スクランブル関数発生器
８…送信装置
１０…ディスク識別コード読取り器
１１…メモリ装置
１２…キーボード
１３…再生装置特定コードファイル
１４…照合器
１５…変形逆スクランブル関数発生器
１６…変形逆スクランブル関数記録器
２０…ピックアップ
２１…再生回路
２２…再生装置特定コードメモリ
２３…逆スクランブル関数発生器
２４…逆スクランブル回路
２５…モニタ受像機
３０…記録ヘッド
３１…読取りヘッド
Ｂ…逆スクランブルボード
Ｃ…ＩＣカード
ＣＯ…コンピュータ
ＤＫ、ＤＫ’…光ディスク
Ｓ1…情報記録装置
Ｓ2…ＩＣカード発行機
Ｓ3、Ｓ5、Ｓ6、Ｓ7…再生機
Ｓ4…ディスク登録機
ＳR…記録信号
ＳRS…暗号化記録信号
ＳRSA…コード多重暗号化記録信号
ＳI…ディスク識別コード信号
ＳF…スクランブル関数信号
ＳIF…コード多重逆スクランブル関数信号
ＳRF…逆スクランブル関数信号
ＳT…再生装置特定コード信号
ＳRFX…変形逆スクランブル関数信号
ＳRF…逆スクランブル関数信号
Ｔ…磁気記録帯
Ｍ…コンピュータ本体
【図１】
2005237030.tif 000003
【図２】
2005237030.tif 000004
【図３】
2005237030.tif 000005
【図４】
2005237030.tif 000006
【図５】
2005237030.tif 000007
【図６】
2005237030.tif 000008
【図７】
2005237030.tif 000009